(57)【特許請求の範囲】
【請求項１】
液透過性の表面シート、液不透過性の第１防漏シート、及び両シート間に介在された液保持性の吸収体を備えた実質的に縦長の吸収性物品において、
前記吸収体の長手方向の両側部に、該両側部それぞれを覆うように、左右一対の液不透過性の第２防漏シートが配されており、
前記第２防漏シートの長手方向に沿う一方の縁部は、前記吸収体の肌当接面側において該吸収体と前記表面シートとの間に位置しており、他方の縁部は、該吸収体の非肌当接面側に位置しており、該第２防漏シートが該他方の縁部において前記第１防漏シートと接合されて、該吸収体の両側部における非肌当接面側に、吸収性物品の長手方向に延びる一対の防漏ゾーンが形成されており、
前記防漏ゾーンの長さが、前記吸収体の長手方向の最大長さの５０％以上であり、
前記第２防漏シートは、吸収性物品の長手方向の両端部それぞれにおいて、前記表面シートと前記第１防漏シートとの間に固定されており、該両端部それぞれにおいても、左右の第２防漏シートにおける前記一方の縁部同士及び前記他方の縁部同士がそれぞれ離間していることを特徴とする吸収性物品。
【請求項２】
前記第２防漏シートが、前記表面シートを介在させて前記第１防漏シートと接合されている請求項１に記載の吸収性物品。
【請求項３】
前記防漏ゾーンの長さが、少なくとも吸収性物品の中央部を含んで、前記吸収体の長手方向の最大長さの５０％以上である請求項１又は２記載の吸収性物品。
【請求項４】
前記第２防漏シートと前記第１防漏シートとの接合部の湿潤強度が、１５ｃＮ／ｃｍ以上である請求項１〜３の何れかに記載の吸収性物品。
【請求項５】
第２防漏シートは、前記吸収体の肌当接面側に位置される縁部において、前記表面シートと接合されている請求項１〜４の何れかに記載の吸収性物品。
【発明の詳細な説明】
【０００１】
【発明の属する技術分野】
本発明は、生理用ナプキン、使い捨ておむつ、失禁パッド、パンティライナー、ペット用シート等の吸収性物品に関し、より詳しくは、漏れ防止効果とヨレ防止効果に優れ、かつ装着感に優れた吸収性物品に関する。
【０００２】
【従来の技術及び発明が解決しようとする課題】
従来の生理用ナプキンとして、液透過性の表面シート、裏面シート及び両シート間に介在する液保持性の吸収体を備え、幅方向に延出した表面シートと裏面シートが延出部分で接合された生理用ナプキンや、防漏効果を向上するため、吸収体の裏面を覆い表面シート側の両サイドを覆う防漏シートを備えた生理用ナプキンが知られている。
このような生理用ナプキンにおいては、表面シート及び裏面シート、又は、表面シート、裏面シート及び防漏シートは、それぞれ吸収体の少なくとも前後方向端部より延出する部分を有し、その延出部分において、ヒートシールや超音波シール若しくは接着剤、又は、これらの複合手段によって接合され、生理用ナプキンの形態を安定的に保つ役割を果たしている。
しかしながら、従来の生理用ナプキンにおいては、防漏シートを有しない場合、端部特に幅方向端部において、吸収体より液が滲み出した場合、容易にもれてしまうため、吸収体を、おおよそ排泄部分と考えられるあたりの吸収体幅を狭く構成したり、横方向延出部の幅を広げたりすることで、漏れを防ぐような工夫が必要となる。また、防漏シートを有する場合には、横方向を無理に延出する必要はないが、少なくとも前後方向に延出している部分において複数層を接合するため、少ない材料により構成していた場合に比べ、硬く形成され違和感を感じる場合もあった。
【０００３】
従って、本発明は、漏れ防止効果とヨレ防止効果に優れ、かつ装着感に優れた吸収性物品を提供することにある。
【０００４】
【課題を解決するための手段】
本発明は、液透過性の表面シート、液不透過性の第１防漏シート、及び両シート間に介在された液保持性の吸収体を備えた実質的に縦長の吸収性物品において、前記吸収体の長手方向の両側部に、該両側部それぞれを覆うように、左右一対の液不透過性の第２防漏シートが配されており、前記第２防漏シートの長手方向に沿う一方の縁部は、前記吸収体の肌当接面側において該吸収体と前記表面シートとの間に位置しており、他方の縁部は、該吸収体の非肌当接面側に位置しており、該第２防漏シートが該他方の縁部において前記第１防漏シートと接合され、該吸収体の両側部における非肌当接面側に、吸収性物品の長手方向に延びる一対の防漏ゾーンが形成されていることを特徴とする吸収性物品を提供することにより上記目的を達成したものである。
【０００５】
【発明の実施の形態】
以下本発明を、その好ましい実施形態に基づき図面を参照しながら説明する。
図１及び２に示す本実施形態の生理用ナプキン１は、実質的に縦長の形状をしており、液透過性の表面シート２、液不透過性の第１防漏シート３、及び両シート間に介在された液保持性の吸収体４を備えている。
【０００６】
詳細には、吸収体４は、平面視して略矩形状の縦長形状をしており、その非肌当接面側が第１防漏シート３に当接されて該第１防漏シート３上に載置されている。表面シート２は、装着時に着用者の肌に当接される肌当接面を形成するもので、吸収体４よりも大きい外形寸法を有しており、その長手方向の左右両側縁部は、吸収体４の左右の両側部を覆って吸収体４の非肌当接面側に位置し、その長手方向の両端部は、吸収体の前後の端部４ｂ，４ｂよりも外方に延出している。そして、表面シート２及び第１防漏シート３は、吸収体４の前後の端部４ｂ，４ｂよりも延出する部分において互いにヒートシールにより接合されている。
【０００７】
吸収体４に当接される第１防漏シート３の面上には、ズレ止め用のホットメルト粘着剤９がスパイラル状に塗布されており、該ホットメルト粘着剤９を介して吸収体４の非肌当接面側に第１防漏シート３が接着固定されている。第１防漏シート３の下面にはナプキン１を着用者の着衣に固定するための粘着剤（図示せず）が塗布されており、該粘着剤は剥離処理されたシート（図示せず）によって保護されている。
【０００８】
而して、生理用ナプキン１における吸収体４の長手方向の両側部４ａ，４ａには、該両側部４ａ，４ａそれぞれを覆うように、左右一対の液不透過性の第２防漏シート５，５が配されている。
第２防漏シート５は、帯状のシートであり、その長手方向に沿う一方の縁部５ａが、吸収体４の肌当接面側に位置し、他方の縁部５ｂが、吸収体４の非肌当接面側に位置するように配されている。そして、吸収体４の非肌当接面側における幅方向の中央部には、第２防漏シート５，５が存在していない。即ち、両第２防漏シート５，５の非肌当接面側に位置された縁部５ｂ，５ｂ同士は、生理用ナプキン１の幅方向に離間され且つ生理用ナプキン１の長手方向の両端部間に亘って離間され、表面シート２と第１防漏シート３との接合部１１においても離間される。第２防漏シート５は、吸収体４の側部４ａにおける肌当接面側、側面及び非肌当接面側において、吸収体４と表面シート２との間に配されている。
【０００９】
吸収体４の非肌当接面側に存する、第２防漏シート５，５が存在しない部分の幅、即ち、第２防漏シート５，５の非肌当接面側に位置された縁部５ｂ，５ｂ同士間の幅Ｗ１（図２参照）は、生理用ナプキン１の液防漏性を維持しつつ、両端部における柔軟性を向上させる観点から２０〜５０ｍｍ、特に３０〜４０ｍｍであることが好ましい。
【００１０】
第２防漏シート５，５の肌当接面側に位置された縁部５ａ，５ａ同士間も離間されており、液吸収性と両端部における柔軟性の観点から、両縁部５ａ，５ａ同士間の幅Ｗ２（図２参照）は、４０〜７５ｍｍ、特に５０〜６０ｍｍであることが好ましい。
また、両縁部５ａ，５ａ同士間の幅Ｗ２と、非肌当接面側に位置された縁部５ｂ，５ｂ同士間の前記幅Ｗ１との比（Ｗ２／Ｗ１）は、０．４〜２．５、特に１〜２であることが好ましい。
また、生理用ナプキン１の防漏性及び柔軟性を向上させる観点から、生理用ナプキン１の左右両側端間の幅Ｗ３（図２参照）に対して前記幅Ｗ１は、４０〜９０％であること好ましく、液吸収性と両端部における柔軟性の観点から、生理用ナプキン１の左右両側端同士間の幅Ｗ３に対して前記幅Ｗ２は、５０〜９５％であることが好ましい。
【００１１】
そして、第２防漏シート５は、吸収体４の非肌当接面側に位置されている縁部５ｂにおいて、第１防漏シート３と接合され、吸収体４の両側部４ａ，４ａにおける非肌当接面側に、生理用ナプキン１の長手方向に延びる一対の防漏ゾーンＢ，Ｂが形成されている。
より具体的には、第２防漏シート５は、吸収体４の非肌当接面側に位置されている縁部５ｂにおいて接着剤を介して表面シート２の一面に接合され、該表面シート２の他面に更に第１防漏シート３に接着剤を介して接合されている。即ち、第２防漏シート５は、表面シート２を介在させて第１防漏シート３と接合されている。
このように、第２防漏シート５が、吸収体４の非肌当接面側において第１防漏シート３と接合されて防漏ゾーンが形成されているため、吸収体４が多量の液を吸収した場合や使用時に生理用ナプキン１が大きく変形した場合等においても、吸収体４に吸収された液が、生理用ナプキン１の側部から漏れることが効果的に阻止される。
【００１２】
第２防漏シート５と第１防漏シート３との接合により左右に一対形成された防漏ゾーンＢ，Ｂの長さは、側部からの液漏れ、即ち横漏れを効果的に防止する観点から、少なくとも生理用ナプキン１の長手方向の中央部を含んで、吸収体の長手方向の最大長さ（長さが最大となる部分の長さ）の５０％以上、特に５５〜７５％であることが好ましい。尚、防漏ゾーンＢは、生理用ナプキン１の長手方向に途切れなく連続するものであることが好ましいが、部分的に破断していても、一つの破断部の長さが５ｍｍ以内であれば、同様の効果が得られるため、破断線より形成されていても良い。この場合の防漏ゾーンの長さは、複数の接合部分の長さの総和である。尚、防漏ゾーンの幅は、０．５〜４ｍｍ、特に１〜２ｍｍが好ましく、また、防漏ゾーンが、生理用ナプキン１の片側の側部４ａに二本以上形成されていても良い。
【００１３】
また、防漏ゾーンを形成する第２防漏シート５と第１防漏シートとの接合部の湿潤強度は、吸収体４に多量の液が吸収された場合等にも横漏れを生じさせない観点から、１５ｃＮ／ｃｍ以上、特に２５〜２６０ｃＮ／ｃｍであることが好ましい。
ここで、第２防漏シート５と第１防漏シートとの接合部の湿潤強度は、以下のようにして測定される。
防漏ゾーンを横切るように生理用ナプキン１を二カ所において幅方向に切断し且つその両切断部間に亘るようにナプキン１を長手方向に切断し、幅方向の両切断部間の長さが３０ｍｍで、該両切断部間にわたって防漏ゾーンを含む試験片を得る。そして、得られた試験片を、水中に５分間放置した後、第１防漏シートを含むシートと第２防漏シートを含むシートとを、それぞれ両者の接合部から遠い部分を把持して、１８０°方向に引き剥がす。この時の最大強度を記録する。同一構成の３枚の生理用ナプキンについて、それぞれ左右２ヶ所の計６点について、同様の測定を行い、これらの平均を湿潤強度とする。
【００１４】
また、第２防漏シート５と第１防漏シート３との接合方法としては、ヒートシールでも良いが、接着剤を用いる方法、特にホットメルト型粘着剤が好ましく、ホットメルト型粘着剤は、その温度１５０℃における粘度が６０００ｃｐｓ以下のものが好ましい。斯かる低粘度のホットメルト型粘着剤を用いることにより、第２防漏シート５を、表面シート２を介在させて第１防漏シート３と接合する場合に、例えば表面シート２に粘着剤を塗布しておき、第２防漏シート５を表面シート２の一面に、第１防漏シート３を表面シート２の他面に重ね合わせて加熱する等により、簡易な工程にて容易に第２防漏シート５と第１防漏シート３とを接合して防漏ゾーンを形成させることができる。
【００１５】
また、本実施形態においては、第２防漏シート５は、吸収体４の肌当接面側に位置される縁部５ａ，５ａにおいて、表面シート２と接合されている。より具体的には、生理用ナプキン１の肌当接面側には、エンボス加工により、液拡散防止用の溝部６，６が形成されており、第２防漏シート５は、該溝部６，６を形成するためのエンボス加工により、表面シート２及び吸収体４と接合され、これらと一体化されている。
第２防漏シート５が、吸収体４の肌当接面側において、表面シート２と接合されているため、表面シート２を透過した液が、該表面シート２と第２防漏シート５との間を通って、生理用ナプキン１の側部から漏れることが一層防止される。また、第２防漏シート５が、前記溝部６，６を形成するためのエンボス加工により、表面シート２及び吸収体４と接合一体化されているため、斯かる効果が更に確実に奏される。
【００１６】
また、第２防漏シート５は、吸収体４の非肌当接面側の面にも接合されている。即ち、第２防漏シート５，５は、その一方の縁部５ｂ，５ｂにおいて、接着剤７２を介して吸収体４の非肌当接面側に接合されている。これにより、ヨレ防止効果が一層高まるとともに、生理用ナプキン１の側部からの液漏れが更に効果的に防止される。更にヨレ防止効果を高めるため、吸収体と第１防漏シート１の間を接着剤（スパイラル状、ビード状、スロット状など）で固定しても良い。
【００１７】
第１防漏シート３及び第２防漏シート５は、それぞれ、液不透過性のものであれば、その材質等に特に制限はなく、従来の生理用ナプキンにおいて防漏シートとして使用されている各種のシートを用いることができる。また、第１防漏シート３及び第２防漏シート５は、それぞれ、通気性を有するものでも通気性を有しないものでも良い。
また、吸収体４，表面シート２、接着剤７１，７２等としては、吸収性物品に従来使用されているものを特に制限なく使用することができる。
【００１８】
本実施形態の生理用ナプキン１は、従来の生理用ナプキンと同様にショーツ等の着衣に固定して使用することができる。
そして、生理用ナプキン１によれば、吸収体４の非肌当接面側における長手方向の中央部に、第２防漏シート５，５が存在していないため、装着者が最も硬く感じやすい長手方向両端部を柔らかく形成することができ、装着間に優れたものとすることができる。また、装着時あるいは使用時等に、生理用ナプキン１ががさつくことがなく、安心して使用することができる。
また、所定の位置に液漏れを阻止する防漏ゾーンＢ，Ｂを有しているため、吸収体４が多量の液を吸収した場合や生理用ナプキン１が大きく変形された場合等においても、吸収体４に保持された液が、生理用ナプキン１の側部から漏れることがない。
【００１９】
また、吸収体４の非肌当接面側における長手方向の中央部には、第２防漏シート５，５が存在していないため、第１防漏シート３として通気性を有するシートを用いた場合、着装内の湿度の上昇を抑制して、ムレ感等を防止することができる。
尚、生理用ナプキン１においては、肌当接面における液拡散防止用の溝部６，６の内側に更に防漏溝８が形成されており、そのため、排出された液がより側部に拡がりにくくなるため、側部からの漏れをより効果的に防ぐことができる。
【００２０】
図３に本発明の他の実施形態としての生理用ナプキン１’を示した。図３の生理用ナプキン１’における基本的な構成は、上述したナプキン１におけるのと同様である。そのため、ナプキン１とは異なる部分について特に説明し、同様の部分については、同一の符号を付してその詳細な説明を省略する。従って、特に説明しない部分については、生理用ナプキン１に関して上記した説明が適宜適用される。
【００２１】
本実施形態の生理用ナプキン１’は、吸収体４よりも大きい外形寸法を有する表面シート２及び第１防漏シート３が、その長手方向の両側縁部及び両端部において吸収体４の縁部よりも外方に延出しており、その延出部分において両シート２，３が互いに接合され、吸収体４の周囲に環状の接合部７３が形成されている。そして、第２防漏シート５の長手方向に沿う一方の縁部５ａは、吸収体４の肌当接面側に配され、他方の縁部５ｂは、吸収体４の非肌当接面側に配され、第２防漏シート５は、その他方の縁部５ｂにおいて、ホットメルト型接着剤を介して第１防漏シート３に直接接合され、その接合により、吸収体４の両側部４ａ，４ａにおける非肌当接面側に、生理用ナプキン１’の長手方向に延びる一対の防漏ゾーンＢ，Ｂが形成されている。
【００２２】
本実施形態の生理用ナプキン１’によれば、上述したナプキン１と同様に、吸収体４の非肌当接面側における長手方向の中央部に、第２防漏シート５，５が存在していないため、長手方向の両端部の接合部１１が柔らかく、接合部１１が肌に当たっても痛みを感じることがない。また、所定の位置に液漏れを阻止する防漏ゾーンＢ，Ｂが形成されているため、吸収体４に保持された液が側部から漏れることがない。また、生理用ナプキン１と同様の構成を有するため、ナプキン１と同様の作用効果が奏し得られる。
【００２３】
尚、本発明は、生理用ナプキンの他、使い捨ておむつ、失禁パッド、パンティライナー、ペット用シート等にも適用することもできる。
【００２４】
【発明の効果】
本発明によれば、漏れ防止効果とヨレ防止効果に優れ、かつ装着感に優れた吸収性物品を提供することができる。
【図面の簡単な説明】
【図１】本発明の吸収性物品の一実施形態としての生理用ナプキンを示す一部斜視図である。
【図２】図１のＡ−Ａ線断面図である。
【図３】本発明の吸収性物品の他の実施形態としての生理用ナプキンを示す断面図（図２に相当する図）である。
【符号の説明】
１，１’生理用ナプキン
２  表面シート
３  第１防漏シート
４  吸収体
５  第２防漏シート
Ｂ  防漏ゾーン
【図１】
0003989144.tif 000002
【図２】
0003989144.tif 000003
【図３】
0003989144.tif 000004